(57)【特許請求の範囲】
【請求項１】
画像が表示される表示面（２０ａ）を形成する液晶パネル（２０）と、
前記液晶パネルへ背面側から光を照射するバックライト（３０）と、
前記表示面に、特定画素領域（Ｇ１０、Ｇ１００、Ｇ３００、Ｇ５０）と、他の画素領域（Ｇ２０、Ｇ４００、Ｇ５１、Ｇ５２）と、を設定し、前記特定画素領域では、前記他の画素領域に比べて光の透過率が高くなるように、前記液晶パネルを制御する制御装置（６００）と、
前記液晶パネルと前記バックライトとの間に配置され、前記特定画素領域及び前記他の画素領域のうち、前記特定画素領域を通して視認される実体物であって、前記画像を加飾する加飾部材（４００、４２０、４３０、４４０）と、
前記液晶パネルと前記加飾部材との間に配置され、前記液晶パネルへ背面側から光を照射する、前記バックライトとは別の第２バックライト（３００）と、を備え、
前記他の画素領域は、前記特定画素領域を囲む態様にて前記液晶パネルの前記表示面に配置されており、
前記加飾部材には、前記バックライトにより透過照明される加飾板（４４０）が含まれており、
前記第２バックライトは、内部に導かれた光を前記液晶パネルへ向けて反射する反射面（３１０ｂ）が形成された導光板（３１０）を有することを特徴とする表示装置。
【請求項２】
画像が表示される表示面（２０ａ）を形成する液晶パネル（２０）と、
前記液晶パネルへ背面側から光を照射するバックライト（３０）と、
前記液晶パネルと前記バックライトとの間に配置され、前記液晶パネルを通して視認される実体物であって、前記画像を加飾する加飾部材（４００、４２０、４３０、４４０）と、
前記表示面のうち前記加飾部材が背面側に位置する部分の画素領域である特定画素領域（Ｇ１０、Ｇ１００、Ｇ３００、Ｇ５０）では、他の画素領域（Ｇ２０、Ｇ４００、Ｇ５１、Ｇ５２）に比べて光の透過率が高くなるように、前記液晶パネルを制御する制御装置（６００）と、
前記液晶パネルと前記加飾部材との間に配置され、前記液晶パネルへ背面側から光を照射する、前記バックライトとは別の第２バックライト（３００）と、を備え、
前記加飾部材には、前記バックライトにより透過照明される加飾板（４４０）が含まれており、
前記第２バックライトは、内部に導かれた光を前記液晶パネルへ向けて反射する反射面（３１０ｂ）が形成された導光板（３１０）を有することを特徴とする表示装置。
【請求項３】
前記第２バックライトの消灯時には前記バックライトを点灯させ、前記第２バックライトの点灯時には前記バックライトを消灯させるよう、前記バックライトおよび前記第２バックライトの作動を制御する照明制御手段（６１ｂ）を備えることを特徴とする請求項１または２に記載の表示装置。
【請求項４】
前記第２バックライトの消灯時および点灯時のいずれにおいても前記バックライトを点灯させるよう、前記バックライトおよび前記第２バックライトの作動を制御する照明制御手段（６１ｃ）を備えることを特徴とする請求項１または２に記載の表示装置。
【請求項５】
前記加飾板は、前記バックライトの光を透過する透光領域（Ｐ５０ａ、Ｐ５０ｂ、Ｐ５１、Ｐ５２）、および前記バックライトの光を遮断する遮光領域（Ｐ５０）を有し、
前記透光領域のうち前記遮光領域と隣接する部分には、前記遮光領域に近づくにつれ徐々に透光率が変化するグラデーション領域（Ｐ５２ｃ）が形成され、
前記表示面のうち前記グラデーション領域と対向する部分の画素領域（Ｇ５２ｃ）では、前記遮光領域に近づくにつれ徐々に表示輝度を変化させるように、前記制御装置は前記液晶パネルを制御することを特徴とする請求項１〜４のいずれか１つに記載の表示装置。
【請求項６】
前記バックライトとは別に、前記加飾部材を照明する光源（４２３）を備えることを特徴とする請求項１〜５のいずれか１つに記載の表示装置。
【請求項７】
前記加飾部材（４２０）は、指針（Ｇ１４）により指し示される目盛り（４２１）を表示することを特徴とする請求項１〜６のいずれか１つに記載の表示装置。
【請求項８】
前記指針は、前記液晶パネルに表示される前記画像であることを特徴とする請求項７に記載の表示装置。
【請求項９】
前記特定画素領域の透過率を、前記実体物が視認可能となる程度に高くする実体物表示モードと、前記実体物が視認できない程度に低くする実体物非表示モードとに切り替える切替手段（６１ａ）を備えることを特徴とする請求項１〜８のいずれか１つに記載の表示装置。
【請求項１０】
前記制御装置は、前記他の画素領域に黒色の背景画像を表示させるように前記液晶パネルを制御することを特徴とする請求項１〜９のいずれか１つに記載の表示装置。
【発明の詳細な説明】
【技術分野】
【０００１】
本発明は、液晶パネルを備えた表示装置に関する。
【背景技術】
【０００２】
従来の表示装置には、例えば指針等の実体物を動かして目盛を指し示すことで、表示内容を変化させるものがある。これに対し特許文献１、２に記載の表示装置は、上記実体物を模した画像を液晶パネルに表示させることで、表示内容を多様に変化させることを容易に実現させている。
【０００３】
但し、液晶パネルでは表示画像を立体的に視認させることに物理的限界があり、実体物を用いた表示装置に比べて平面的な見栄えになるのが欠点である。この欠点に対し、特許文献１、２に記載の表示装置では、液晶パネルに対して視認方向手前側に、実体物としての加飾リングを配置している。加飾リングは立体的に視認されるので、液晶パネルの平面的な見栄えに奥行き感を付与させることができる。よって、表示装置の全体を、液晶パネルと加飾リングの組み合わせによる立体的な見栄えにできる。
【先行技術文献】
【特許文献】
【０００４】
【特許文献１】特許第５１８０１５０号公報
【特許文献２】特許第４７８７１０２号公報
【発明の概要】
【発明が解決しようとする課題】
【０００５】
しかしながら、上述の如く液晶パネルの手前側に加飾リング（実体物）を配置すると、液晶パネルによる画像の一部が実体物により遮られて見えなくなるので、液晶パネルの表示面全体を有効に利用できない。
【０００６】
本発明は、上記問題を鑑みてなされたもので、その目的は、液晶パネルに実体物を組み合わせて奥行き感を付与させつつも、液晶パネルの表示面全体を有効に利用可能にした表示装置を提供することにある。
【課題を解決するための手段】
【０００７】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００８】
開示される発明のひとつは、画像が表示される表示面（２０ａ）を形成する液晶パネル（２０）と、液晶パネルへ背面側から光を照射するバックライト（３０）と、表示面に、特定画素領域（Ｇ１０、Ｇ１００、Ｇ３００、Ｇ５０）と、他の画素領域（Ｇ２０、Ｇ４００、Ｇ５１、Ｇ５２）と、を設定し、特定画素領域では、他の画素領域に比べて光の透過率が高くなるように、液晶パネルを制御する制御装置（６００）と、液晶パネルとバックライトとの間に配置され、特定画素領域及び他の画素領域のうち、特定画素領域を通して視認される実体物であって、画像を加飾する加飾部材（４００、４２０、４３０、４４０）と、液晶パネルと加飾部材との間に配置され、液晶パネルへ背面側から光を照射する、バックライトとは別の第２バックライト（３００）と、を備え、他の画素領域は、特定画素領域を囲む態様にて液晶パネルの表示面に配置されており、加飾部材には、バックライトにより透過照明される加飾板（４４０）が含まれており、第２バックライトは、内部に導かれた光を液晶パネルへ向けて反射する反射面（３１０ｂ）が形成された導光板（３１０）を有することを特徴とする。
また、開示される発明の他のひとつは、画像が表示される表示面（２０ａ）を形成する液晶パネル（２０）と、液晶パネルへ背面側から光を照射するバックライト（３０）と、液晶パネルとバックライトとの間に配置され、液晶パネルを通して視認される実体物であって、画像を加飾する加飾部材（４００、４２０、４３０、４４０）と、表示面のうち加飾部材が背面側に位置する部分の画素領域である特定画素領域（Ｇ１０、Ｇ１００、Ｇ３００、Ｇ５０）では、他の画素領域（Ｇ２０、Ｇ４００、Ｇ５１、Ｇ５２）に比べて光の透過率が高くなるように、液晶パネルを制御する制御装置（６００）と、液晶パネルと加飾部材との間に配置され、液晶パネルへ背面側から光を照射する、バックライトとは別の第２バックライト（３００）と、を備え、加飾部材には、バックライトにより透過照明される加飾板（４４０）が含まれており、第２バックライトは、内部に導かれた光を液晶パネルへ向けて反射する反射面（３１０ｂ）が形成された導光板（３１０）を有することを特徴とする。
【０００９】
これらの発明によれば、液晶パネルに表示される画像を加飾する加飾部材が、液晶パネルとバックライトの間に配置されているので、液晶パネルによる画像の一部が実体物により遮られて見えなくなることを回避できる。よって、液晶パネルに実体物を組み合わせて奥行き感を付与させつつも、液晶パネルの表示面全体を有効に利用できる。
【００１０】
さらに上記発明によれば、加飾部材が背面側に位置する部分の特定画素領域の透過率が、他の画素領域より高いので、特定画素領域を透過して実体物が視認され易くなる。一方、他の画素領域については、液晶パネルの背面側に存在する物が視認され難くなる。そのため、特定画素領域を透して視認される加飾部材が目立つようになり、加飾部材に視線が惹きつけられることが促進される。つまり、加飾部材への誘目性を向上させることができる。
【図面の簡単な説明】
【００１１】
【図１】本発明の第１実施形態に係る表示装置の正面図であって、実体物表示モードによる表示内容を示す図。
【図２】図１の断面図。
【図３】図２の分解斜視図。
【図４】図１の実体物表示モードを別の実体物表示モードに切り替えて表示させた状態を示す図。
【図５】図１の実体物表示モードを実体物非表示モードに切り替えて表示させた状態を示す図。
【図６】図２のマイコンによる制御対象を示すブロック図。
【図７】図２のマイコンによる表示制御の手順を示すフローチャート。
【図８】本発明の第２実施形態に係る表示装置の正面図であって、実体物表示モードによる表示内容を示す図。
【図９】図８の断面図。
【図１０】本発明の第３実施形態に係る表示装置の断面図であって、実体物表示モードによる照明の状態を示す図。
【図１１】第３実施形態に係る実体物表示モードにおいて、表示装置を模式的に示す分解斜視図。
【図１２】第３実施形態に係る表示装置の正面図であって、実体物表示モードによる表示内容を示す図。
【図１３】第３実施形態に係る表示装置の断面図であって、実体物非表示モードによる照明の状態を示す図。
【図１４】第３実施形態の実体物非表示モードにおいて、表示装置を模式的に示す分解斜視図。
【図１５】第３実施形態に係る表示装置の正面図であって、実体物非表示モードによる表示内容を示す図。
【図１６】本発明の第４実施形態に係る表示装置の断面図であって、実体物表示モードによる照明の状態を示す図。
【発明を実施するための形態】
【００１２】
以下、図面を参照しながら発明を実施するための複数の形態を説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１３】
（第１実施形態）
図１に示す表示装置Ｄは、車両のインストルメントパネルに組み付けられた車両用の表示装置である。表示装置Ｄは、車両の走行速度や車載バッテリの電力残量等、車両の状態を表した各種物理量の変化を表示したり、各種の異常が生じた場合にその旨を表示したり、演出画像を表示したりする。
【００１４】
図２に示すように、表示装置Ｄは主に、ケース１０、液晶パネル２０、バックライト３０、加飾リング４２０、加飾ボス部材４３０、および回路基板６０を備えて構成されている。ケース１０は遮光性を有する樹脂製であり、液晶パネル２０、バックライト３０および回路基板６０等を内部に収容して保持する。
【００１５】
液晶パネル２０は、液晶が保持された液晶層、液晶層の両側に配置された一対の電極、カラーフィルタ基板、および一対の偏光フィルムを有して構成された、ＴＦＴ液晶パネルである。電極は、行電極および列電極を組合せたマトリクス電極であり、画素毎に設けられた透明電極で構成され、電極に印加される電圧は薄膜トランジスタにより制御される。カラーフィルタ基板は、赤色フィルタ、緑色フィルタおよび青色フィルタを有し、各フィルタは画素毎（電極毎）に配置されている。また、各画素をオンオフする図示しない薄膜トランジスタ（ＴＦＴ）を備えている。偏光フィルムは、所定方向に振動する光を透過して光の振動方向を所定方向に規制するフィルタである。一対の偏光フィルムは、振動方向が９０度ずれるように配置されている。このＴＦＴ液晶パネルは公知の構造である。
【００１６】
バックライト３０は、導光板３１、反射板３２、拡散板３３および光源３４（図３参照）を有して構成されている。光源３４には発光ダイオードが採用され白色光を発光するものであり、複数の光源３４が導光板３１の側面に対向する位置に配置されている。光源３４から射出された光は、導光板３１へ側面から入射した後、反射板３２で反射しながら導光板３１の内部を進み、導光板３１の正面側（図２の上側）から出射する。導光板３１から出射した光は、拡散板３３にて乱反射しながら透過する。これにより、拡散板３３の全体が面発光した状態になり、液晶パネル２０の全面に対して均一でムラの少ない光が、バックライト３０から液晶パネル２０へ射出される。
【００１７】
反射板３２は導光板３１の背面側に密着して配置されているのに対し、拡散板３３は、導光板３１の正面側に所定の隙間を空けて配置されている。なお、この隙間は空けなくともよい。また、液晶パネル２０は、拡散板３３の正面側に所定の隙間４０ａを空けて配置されており、この隙間４０ａに、実体物である加飾リング４２０および加飾ボス部材４３０が配置されている。加飾リング４２０および加飾ボス部材４３０は、拡散板３３の正面側の面に接触した状態で固定されている。
【００１８】
図３に示すように、加飾ボス部材４３０は、液晶パネル２０の側に向けて凸となる向きに配置された円錐形状であり、円錐面にメッキが施された樹脂製である。該メッキは、後述する指針画像Ｇ１４と同じ色に反射着色される。例えば、加飾リング４２０の内周側エッジ４２０ａから出射したＬＥＤ光赤色に反射着色される。加飾ボス部材４３０は、加飾リング４２０の中央に配置されている。
【００１９】
加飾リング４２０は、透光性を有する樹脂で形成されたリング状（環状）であり、本実施形態に係る加飾リング４２０は円環状である。加飾リング４２０は、拡散板３３との接触面から正面側に隆起した形状である。加飾リング４２０の正面側の面には、複数の溝が形成されており、これらの溝は、加飾リング４２０の径方向に延びる筋状であり、指針画像Ｇ１４に指し示される目盛り４２１として機能する。
【００２０】
加飾リング４２０には導光部４２２が設けられており、加飾リング４２０および導光部４２２は、樹脂により一体に形成されている。導光部４２２の側面には、発光ダイオードによる光源４２３が取り付けられている。光源４２３から射出された光は、導光部４２２の側面から入射した後、導光部４２２および加飾リング４２０の内部を進み、目盛り４２１を形成する溝で反射して、加飾リング４２０の正面側（図２の上側）から出射する。目盛り４２１で反射した光は、液晶パネル２０の後述する特定画素領域Ｇ１０を透過してユーザに視認されることとなる。
【００２１】
したがって、光源４２３を点灯させると目盛り４２１の部分が光って見える。光源４２３には赤、緑、青の３種類が設けられており、各々の光源４２３の輝度をマイコン６１が制御することで、加飾リング４２０から射出される光の色を調整できる。つまり、目盛り４２１を所望の色で視認させることができる。
【００２２】
液晶パネル２０はフレキシブル配線板２１を有しており、フレキシブル配線板２１の先端に形成された端子２１ａは、マイクロコンピュータ（マイコン６１）が実装された回路基板６０に接続されている。マイコン６１は、中央処理演算装置およびメモリ等を有し、予め記憶されているプログラムにしたがって各種の演算処理を実行する。回路基板６０から液晶パネル２０へ出力される画像信号は、フレキシブル配線板２１を介して液晶パネル２０の電極へ送信される。要するに、液晶パネル２０の表示面２０ａに表示される画像の内容は、マイコン６１により制御される。
【００２３】
回路基板６０は、車両に搭載された電子制御装置のうち表示装置Ｄの外部に設けられた電子制御装置から各種情報を取得し、取得した情報に基づき液晶パネル２０の表示内容を制御する。上記情報の具体例としては、車両の走行速度や車載バッテリの電力残量等、車両の状態を表した各種物理量の変化を表した情報、および各種異常が生じた旨の情報が挙げられる。
【００２４】
図２に示すように、ケース１０は、液晶パネル２０の正面側に位置する見返し板１１を有し、見返し板１１には開口部１１ａが形成されている。これにより、液晶パネル２０の表示面２０ａのうち、開口部１１ａの内側に位置する部分が視認可能領域となり、この視認可能領域は見返し板１１により仕切られて特定される。また、液晶パネル２０の外縁部分Ｐ１（図２参照）が、見返し板１１により覆い隠されることとなる。ケース１０には、見返し板１１を正面側から覆うカバー１２が取り付けられている。カバー１２は透光性を有する樹脂製である。
【００２５】
バックライト３０の光源３４を点灯させると、拡散板３３の正面側の面（発光面３３ｂ）から射出される光は液晶パネル２０を透過し、開口部１１ａおよびカバー１２を通じて表示装置Ｄの正面側に射出される。これにより、液晶パネル２０が透過照明され、表示面２０ａに表示される画像がユーザに視認されるようになる。詳細には、液晶パネル２０の画素毎に配置された電極への印加電圧に応じて、該当する画素に対する光の透過率（光透過性）は変化する。
【００２６】
例えば、赤色フィルタ、緑色フィルタおよび青色フィルタに対応する電極の全てについて、透過率が最大になるように印加電圧を制御すると、各々のフィルタを透過する光の輝度が最大になる。その結果、該当する画素は白色に視認される。つまり、拡散板３３の発光色で視認される。一方、各フィルタに対応する電極の全てについて、透過率が最小になるように印加電圧を制御すると、各々のフィルタを透過する光の輝度が最小になる。その結果、該当する画素は黒色に視認される。
【００２７】
表示面２０ａのうち、上述の如く透過率が高くされた領域（特定画素領域Ｇ１０）については、その領域の背面側に位置する物体、つまり加飾リング４２０、加飾ボス部材４３０または拡散板３３が、液晶パネル２０を透かして視認可能になる。具体的には、バックライト３０から射出した光のうち、加飾ボス部材４３０のメッキ部分で反射した光、および加飾リング４２０の内周側エッジ４２０ａから射出した光が、特定画素領域Ｇ１０を透過してユーザに視認される。さらに、光源４２３から射出して目盛り４２１で反射した光が、特定画素領域Ｇ１０を透過して視認される。さらに、バックライト３０のうち加飾リング４２０の内周側に位置する部分から射出した光が、特定画素領域Ｇ１０を透過して背景画像としてユーザに視認される。
【００２８】
一方、表示面２０ａのうち特定画素領域Ｇ１０に比べて透過率が低く制御された領域（他の画素領域Ｇ２０）では、その領域の背面側に位置する物体は視認できなくなる。換言すれば、実体物である加飾リング４２０または加飾ボス部材４３０から液晶パネル２０に向かう光は、他の画素領域Ｇ２０を透過しないのでユーザに視認されない。なお、図１、図３、図４および図５に示す斜線は、断面ハッチングを意味するものではなく、他の画素領域Ｇ２０、Ｇ４００または画素領域Ｇ４１０の範囲を意味する。
【００２９】
透過率を高く制御するほど、実体物からの光が液晶パネル２０を透過する度合いが大きくなり、加飾ボス部材４３０、内周側エッジ４２０ａおよび目盛り４２１が鮮明に視認されるようになる。一方、透過率を低くするほど、加飾ボス部材４３０、内周側エッジ４２０ａおよび目盛り４２１からの光が液晶パネル２０を透過する度合いが小さくなり、ぼやけて視認されるようになる。
【００３０】
要するに、液晶パネル２０による透過率を制御することで、実体物が視認される実体物表示モード（図１および図４参照）と、実体物が視認されない実体物非表示モード（図５参照）とに切り替えることができる。また、実体物表示モードでは以下の態様で表示装置Ｄを視認させることもできる。例えば、液晶パネル２０による透過率の度合いに応じて実体物の鮮明度合い（ぼやける度合い）を制御できるので、その透過率を調整することで、実体物がぼやけて視認される度合いを調整できる。また、特定画素領域Ｇ１０に表示される画像と実体物とを重ねて視認させることができる。また、特定画素領域Ｇ１０のうち実体物と重なる部分を他の部分とは異なる色で表示することで、実体物がその表示色であるかのように錯覚させることができる。
【００３１】
図１に示す実体物表示モードでは、表示面２０ａのうち加飾リング４２０および加飾ボス部材４３０の全体を含む領域を特定画素領域Ｇ１０として設定しており、特定画素領域Ｇ１０の外側全体を他の画素領域Ｇ２０として設定している。特定画素領域Ｇ１０には、目盛り４２１を指し示す指針画像Ｇ１４、目盛り４２１に対応する数値を表した数字画像Ｇ１３、および影画像Ｇ１２が表示される。影画像Ｇ１２は、レーダをイメージさせる態様で指針の残像を表す画像である。車速に応じて指針画像Ｇ１４の表示位置を制御することで、指針画像Ｇ１４と目盛り４２１との組み合わせにより車速が表示される。
【００３２】
影画像Ｇ１２は、指針画像Ｇ１４から回転方向逆側に延びる影を模した画像である。よって、指針画像Ｇ１４の表示位置に応じて影画像Ｇ１２の表示位置も変化することとなる。なお、影画像Ｇ１２の回転方向長さは、指針画像Ｇ１４の回転速度が速いほど長く設定される。
【００３３】
要するに、図１に示す実体物表示モードでは、他の画素領域Ｇ２０に表示された黒色画像を背景とし、拡散板３３、加飾リング４２０、加飾ボス部材４３０、指針画像Ｇ１４、数字画像Ｇ１３および影画像Ｇ１２が組み合わさって視認される。また、表示面２０ａと実体物と拡散板３３とでは、視認方向における光路長が異なるので、焦点距離の違いによる視差が生じる。つまり、実体物は表示面２０ａの視認方向奥側（背面側）に存在するように視認され、拡散板３３は実体物のさらに奥側に存在するように視認される。
【００３４】
他の画素領域Ｇ２０には黒色の背景画像が表示される。さらに他の画素領域Ｇ２０には、ウインカーが操作された向きを表示する方向指示画像Ｇ２２、および各種異常を警告表示する警告画像Ｇ２３が、背景画像を背景として表示されている。他の画素領域Ｇ２０に表示される全ての画像、つまり方向指示画像Ｇ２２、警告画像Ｇ２３および黒色の背景画像は、透過率が不透過（ＲＧＢが全てオフ）となるように設定されている。一方、特定画素領域Ｇ１０に表示される白色の背景画像は、透過率が全透過（ＲＧＢが全てオン）となるように設定されている。
【００３５】
図４に示す実体物表示モードでは、表示面２０ａのうち加飾リング４２０および加飾ボス部材４３０を含む領域を特定画素領域Ｇ３００として設定し、特定画素領域Ｇ３００の外側全体を他の画素領域Ｇ４００として設定している。特定画素領域Ｇ３００には、バッテリ電力残存量を表す電力残量画像Ｇ３２０、および加飾リング４２０と同一の形状のリング画像Ｇ３０１が表示される。加飾ボス部材４３０を中心にリング画像Ｇ３０１が回転するように表示させることで、加飾リング４２０が実際に回転しているように錯覚させる。これにより、充電中である旨をユーザに認識させる。
【００３６】
他の画素領域Ｇ４００には黒色の背景画像が表示される。さらに他の画素領域Ｇ４００には、車速を数値で表した車速画像Ｇ４０１が、背景画像を背景として表示されている。背景画像および車速画像Ｇ４０１は、透過率が所定値未満となるように設定されている。一方、特定画素領域Ｇ３００に表示されるリング画像Ｇ３０１は、透過率が所定値以上となるように設定されている。なお、図４の例では電力残量画像Ｇ３２０の透過率を所定値未満に設定しているため、加飾ボス部材４３０は視認されない。よって、電力残量画像Ｇ３２０が表示される領域は、実体物を視認させない他の画素領域の一部である。
【００３７】
図５に示す実体物非表示モードでは、表示面２０ａの全体が、実体物を視認できない程度の低い透過率で表示される画素領域Ｇ４１０に設定されている。画素領域Ｇ４１０の中には、所定値未満の低透過率に設定された演出画像Ｇ４１１が表示されている。したがって、加飾リング４２０および加飾ボス部材４３０の両方がユーザに視認できない状態となる。なお、図５に示す実体物非表示モードは、終了演出モードまたは開始演出モードの一例である。
【００３８】
図６に示す駆動回路６３は、回路基板６０に実装されたものであり、マイコン６１から出力された指令信号にしたがって、液晶パネル２０が有する先述した薄膜トランジスタの駆動を制御する。電源回路６４は、回路基板６０に実装されたものであり、バックライト３０が有する光源３４への電力供給量を、マイコン６１から出力された指令信号にしたがって制御する。具体的には、光源３４への電力供給のオンオフを制御する。
【００３９】
回路基板６０に実装されたマイコン６１、メモリ６２、入力処理回路、出力処理回路等により、制御装置６００が構成されている。この制御装置６００は、駆動回路６３を制御することで液晶パネル２０の表示画像を制御するとともに、電源回路６４を制御することでバックライト３０のオンオフを制御していると言える。
【００４０】
メモリ６２には、液晶パネル２０に表示される各種の画像を表した画像データが記憶されている。マイコン６１は、車両の状態に応じて表示モードを切り替える切替手段６１ａとしても機能する。例えば、イグニッションスイッチ（ＩＧＳＷ６０１）がオン操作されると、バックライト３０への電力供給をオンにして、実体物を視認させないようにしつつ演出画像を表示する開始演出モードで液晶パネル２０を表示させる。ＩＧＳＷ６０１がオフ操作された場合にも、実体物を視認させないようにしつつ演出画像を表示する終了演出モードで液晶パネル２０を表示させ、その後、バックライト３０への電力供給をオフにする。
【００４１】
開始演出モードの終了後、ＩＧＳＷ６０１がオフ操作されるまでの期間において、通常時には、センサ６０２により検出された車速等の物理量に基づき、該物理量を指し示すように指針画像Ｇ１４の表示位置を制御する。具体的には、図１に示す実体物表示モードで液晶パネル２０を表示させる。この場合、液晶パネル２０の表示レイアウトはユーザの好みに応じて変更可能である。但し、他の画素領域Ｇ２０の透過率は所定値未満とする。
【００４２】
車載バッテリの電力残存量が所定値未満になっている場合や、ユーザが表示の切り替えを要求した場合等、所定の条件を満たすイベントが発生した時には、図４に例示される実体物表示モードに切り替える。図４の例では、加飾ボス部材４３０を視認させないようにするべく、液晶パネル２０の表示面２０ａのうち加飾ボス部材４３０が背面側に位置する部分が、他の画素領域となるように表示制御する。車速画像Ｇ４０１は、センサ６０２により検出された車速を表した画像に制御される。また、他のイベントが発生した時には、図５に例示される実体物非表示モードに切り替える。図５の例では、加飾リング４２０および加飾ボス部材４３０の両方を視認させないようにするべく、表示面２０ａの全面が低透過率となるように表示制御する。
【００４３】
図７は、マイコン６１が有する中央処理演算装置により所定周期で繰返し実行される処理の手順を示すフローチャートであり、先ず、ステップＳ１０にて実体物表示モードが要求されているか否かを判定する。実体物をユーザに視認させる実体物表示モードが要求される例としては、加飾リング４２０の目盛り４２１を指針画像Ｇ１４で指し示すことにより物理量を表示する場合が挙げられ、具体的には、図１に示す如く車速を表示する場合が挙げられる。また、図４に示す如く加飾ボス部材４３０を視認させずに加飾リング４２０を視認させる場合が、実体物表示モードの具体例として挙げられる。
【００４４】
一方、加飾リング４２０および加飾ボス部材４３０の両方をユーザに視認させない実体物非表示モードが要求される例としては、液晶パネル２０に表示されている画像に注目させる場合が挙げられる。具体的には、表示装置Ｄの起動時に表示されるオープニング画像（図５参照）、表示装置Ｄの作動終了時に表示されるエンディング画像等に注目させる場合が挙げられる。
【００４５】
ステップＳ１０にて非表示モードと判定された場合には、続くステップＳ１１において、液晶パネル２０を以下のように表示させて全ての実体物を視認させないようにする演出制御を実行する。すなわち、表示面２０ａの全面に、実体物が視認できない程度に透過率の低い画像を表示させる。つまり、先述した背景画像および演出画像Ｇ４１１を表示させる。非表示モードでは、表示面２０ａの全面を低透過率にする必要はなく、少なくとも実体物が背面側に位置する部分の表示領域を低透過率にすればよい。
【００４６】
ステップＳ１０にて表示モードと判定された場合には、続くステップＳ１２において、液晶パネル２０を以下のように表示させて、全ての実体物の少なくとも一部を視認させるように、特定画素領域Ｇ１０の透過率を制御する。特定画素領域Ｇ１０は、加飾リング４２０および加飾ボス部材４３０を含むように設定されている。また、特定画素領域Ｇ１０に、指針画像Ｇ１４、数字画像Ｇ１３および影画像Ｇ１２を表示させる。これにより、指針画像Ｇ１４が目盛り４２１を指し示すことで車速等の物理量が表示されることとなる。
【００４７】
特定画素領域Ｇ１０のうち実体物が存在しない領域、かつ、指針画像Ｇ１４、数字画像Ｇ１３および影画像Ｇ１２が表示されていない領域は、拡散板３３が視認されることとなる。この領域の透過率が１００％であれば、この場合の拡散板３３は光源３４の色で面発光しているように視認される。つまり、拡散板３３を背景として、実体物、指針画像Ｇ１４、数字画像Ｇ１３および影画像Ｇ１２が視認されるようになる。他の画素領域Ｇ２０については、特定画素領域Ｇ１０よりも低い透過率に制御する。なお、ステップＳ１０の処理を実行している時のマイコン６１は、実体物表示モードと実体物非表示モードとに切り替える「切替手段」に相当する。
【００４８】
以上により、本実施形態によれば、液晶パネル２０に表示される画像を加飾する加飾部材（実体物）としての加飾リング４２０および加飾ボス部材４３０が、液晶パネル２０とバックライト３０の間に配置されている。そのため、液晶パネル２０の正面側に実体物を配置した場合に生じる「液晶パネル２０による画像の一部が実体物により遮られて見えなくなる」といった問題を回避できる。よって、液晶パネル２０に実体物としての加飾部材を組み合わせて表示装置Ｄに奥行き感を付与させつつも、液晶パネル２０の表示面２０ａ全体を有効に利用できるようになる。
【００４９】
また、本実施形態によれば、液晶パネル２０による画像の奥側に実体物が視認され、さらにその実体物の奥側に拡散板３３が視認される。したがって、少なくとも３層のレイヤー表示を実現でき、奥行きのある見栄えにすることを向上できる。
【００５０】
さらに本実施形態によれば、実体物が背面側に位置する部分の特定画素領域Ｇ１０の透過率が、他の画素領域Ｇ２０より高いので、特定画素領域Ｇ１０を透過して実体物が視認され易くなる。一方、他の画素領域Ｇ２０については、液晶パネル２０の背面側に存在する物（拡散板３３）が視認され難くなる。そのため、特定画素領域Ｇ１０を透して視認される実体物が目立つようになり、実体物に視線が惹きつけられることが促進される。
【００５１】
さらに本実施形態では、バックライト３０とは別に、加飾リング４２０（加飾部材）を照明する光源４２３を備える。そのため、加飾リング４２０の目盛り４２１と、液晶パネル２０に表示される各種画像との視差で浮遊感を生じさせるにあたり、目盛り４２１を鮮明に視認させることができるので、視差が強調されて浮遊感を向上できる。
【００５２】
さらに本実施形態では、実体物としての目盛り４２１が、指針画像Ｇ１４により指し示される。そのため、目盛り４２１が指針画像Ｇ１４の奥側に視認され、奥行きのある見栄えにすることを向上できる。さらに、目盛り４２１の奥側に、指針画像Ｇ１４の背景となる拡散板３３が視認されるので、奥行き感を向上できる。
【００５３】
さらに本実施形態によれば、他の画素領域Ｇ２０が黒色画像になるように液晶パネル２０を制御する。そのため、他の画素領域Ｇ２０では拡散板３３が視認されなくなり、かつ、特定画素領域Ｇ１０の輝度が他の画素領域Ｇ２０の輝度よりも高くなるので、加飾リング４２０および加飾ボス部材４３０への誘目性をより一層向上できる。
【００５４】
さらに本実施形態によれば、加飾リング４２０および加飾ボス部材４３０の両方を非表示にする非表示モード（図５参照）と、加飾ボス部材４３０を非表示にしつつ、加飾リング４２０を表示する表示モード（図４参照）とを切り替える。このように、実体物を液晶パネル２０の背面側に配置しているので、液晶パネル２０による低輝度領域（他の領域）を変更することで、所望の実体物を非表示にすることを容易に実現できる。
【００５５】
（第２実施形態）
本実施形態では、図８および図９に示すように、実体物には、表示面２０ａの視認可能領域の外縁に沿って延びる壁部材４００、および指針４０が含まれている。視認可能領域の外縁は、見返し板１１の開口部１１ａの壁面により特定される。壁部材４００は、上記外縁に沿って環状に延びる筒形状であり、液晶パネル２０に近づくほど開口面積が拡大する形状である。壁部材４００の筒形状内部に指針４０は位置する。壁部材４００は透光性を有する樹脂製である。
【００５６】
指針４０は、指針部４１とボス部４２を有する。指針部４１およびボス部４２は透光性を有する樹脂により一体に形成されている。ボス部４２には回転軸５１が固定されている。回転軸５１は、導光板３１、反射板３２および拡散板３３に形成された貫通穴３１ａ、３２ａ、３３ａに挿入配置されており、電動モータ５０により回転する。電動モータ５０は回路基板６０に取り付けられている。マイコン６１が電動モータ５０の駆動を制御することにより、指針４０の回転位置が制御される。
【００５７】
壁部材４００の内周面は凹凸形状に形成されており、凹凸に応じて屈折した光が、液晶パネル２０を透して視認される。具体的には、図９に示すように、壁部材４００の内周面に、環状に延びる４本の凸部４０１が４つ並べて形成されている。液晶パネル２０の表示面２０ａのうち、壁部材４００が背面側に位置する部分の画素領域は、他の画素領域Ｇ２０に比べて透過率の高い特定画素領域Ｇ１００に設定されている。そのため、壁部材４００は特定画素領域Ｇ１００を透して図８のように視認されることとなる。なお、非表示モードにおいては、液晶パネル２０のうち壁部材４００および指針４０に対向する位置の透過率を低くして、これら実体物は視認されない。
【００５８】
以上により、本実施形態によれば、液晶パネル２０の奥側に、指針４０および壁部材４００が視認されるようになる。よって、液晶パネル２０の正面側に壁部材および指針を配置した場合に生じる「液晶パネル２０による画像の一部が壁部材により遮られて見えなくなる」といった問題を回避できる。よって、液晶パネル２０に実体物としての壁部材４００および指針４０を組み合わせて表示装置Ｄに奥行き感を付与させつつも、液晶パネル２０の表示面２０ａ全体を有効に利用できるようになる。
【００５９】
（第３実施形態）
図１０に示すように、本実施形態では、バックライト３０と液晶パネル２０との間に加飾板４４０が配置されている。加飾板４４０は透光性を有する樹脂製の板であり、加飾板４４０の所定領域には、光の透過を遮断する遮光領域Ｐ５０が設けられている。図中の網点は遮光領域Ｐ５０を示す。例えば、加飾板４４０のうち、黒色等の不透光性を有する塗料を所定領域に塗布することで遮光領域Ｐ５０が形成され、塗布されていない部分が透光領域Ｐ５０ａ、Ｐ５０ｂ、Ｐ５１、Ｐ５２に相当する。
【００６０】
加飾板４４０は、バックライト３０に対して平行に配置されており、光源３４を点灯させるとバックライト３０により透過照明される。そして、透光領域Ｐ５０ａ、Ｐ５０ｂ、Ｐ５１、Ｐ５２から射出される透過光を正面側（図１０の上側）から見ることで、正面側から透光領域Ｐ５０ａ、Ｐ５０ｂ、Ｐ５１、Ｐ５２の形状が視認される。例えば、符号Ｐ５０ａに示す透光領域は、メータ表示される物理量の数値や文字、記号等を表す形状に形成される。符号Ｐ５０ｂに示す透光領域は、後述する指針画像Ｇ５２ａにより指示される目盛りを表す形状に形成される（図１２参照）。そして、加飾板４４０のうち透光領域Ｐ５０ａ、Ｐ５０ｂおよび遮光領域Ｐ５０の部分は、液晶パネル２０を通して視認される実体物（加飾部材）に相当する。
【００６１】
加飾板４４０と液晶パネル２０との間には、液晶パネル２０へ背面側から光を照射する第２バックライト３００が配置されている。第２バックライト３００は、導光板３１０、および第２光源３４０を有して構成されている。第２光源３４０には発光ダイオードが採用され白色光を発光するものであり、複数の第２光源３４０が導光板３１０の側面３１０ａに対向する位置に配置されている。
【００６２】
導光板３１０は、透光性を有する樹脂で板形状に形成されている。導光板３１０は、加飾板４４０と液晶パネル２０との間に配置され、かつ、加飾板４４０および液晶パネル２０に対して平行に配置されている。導光板３１０の背面は加飾板４４０と接触し、導光板３１０の表面は液晶パネル２０と離間する。
【００６３】
導光板３１０の背面には、導光板３１０の内部に導かれた光を液晶パネル２０へ向けて反射する反射面３１０ｂが形成されている。反射面３１０ｂは、乱反射して光を拡散させる凹凸形状に形成されている。例えば、導光板３１０にシボ加工を施すことで反射面３１０ｂが形成されている。
【００６４】
これにより、図１３に示すように第２光源３４０を点灯させると、第２光源３４０から射出された光は、導光板３１０の側面３１０ａから入射した後、導光板３１０の背面（反射面３１０ｂ）および表面で反射しながら導光板３１の内部を進む。そして、反射面３１０ｂで乱反射した光の一部が、導光板３１０から液晶パネル２０へ向けて射出される。これにより、導光板３１０の全体が面発光した状態になり、液晶パネル２０の全面に対して均一でムラの少ない光が、第２バックライト３００から液晶パネル２０へ射出される。
【００６５】
本実施形態においても図６に示す第１実施形態と同様にして、光源３４の作動は、制御装置６００のマイコン６１により制御される。そして、第２光源３４０も上記マイコン６１により制御される。これら第２光源３４０および光源３４の作動を制御している時のマイコン６１は「照明制御手段６１ｂ」に相当する。照明制御手段６１ｂは、第２バックライト３００の消灯時にはバックライト３０を点灯させ（図１０参照）、第２バックライト３００の点灯時にはバックライト３０を消灯させる（図１３参照）ように制御する。以下、図１０の表示モードを２層表示モードと呼び、図１３の表示モードを１層表示モードと呼ぶ。
【００６６】
２層表示モードでは、図１１に示す表示画像を液晶パネル２０に表示させ、バックライト３０により照明される加飾板４４０と、液晶パネル２０による表示画像とが組み合わさって、図１２のように視認される。
【００６７】
２層表示モードにおいて、液晶パネル２０の表示面２０ａのうち、加飾板４４０の遮光領域Ｐ５０および透光領域Ｐ５０ａ、Ｐ５０ｂの部分（加飾部材）が背面側に位置する部分の画素領域は、特定画素領域Ｇ５０に相当する。表示面２０ａのうち図１１中の斜線を付した部分の画素領域、つまり、加飾板４４０の透光領域Ｐ５１、Ｐ５２の部分が背面側に位置する部分の画素領域は、他の画素領域Ｇ５１、Ｇ５２に相当する。２層表示モードでは、特定画素領域Ｇ５０が他の画素領域Ｇ５１、Ｇ５２に比べて光の透過率が高くなるように、制御装置６００は液晶パネル２０を制御する。
【００６８】
具体的には、特定画素領域Ｇ５０では、液晶パネル２０の赤色フィルタ、緑色フィルタおよび青色フィルタによる光の透過率を最大にする。これにより、バックライト３０で透過照明される加飾板４４０のうち、遮光領域Ｐ５０および透光領域Ｐ５０ａ、Ｐ５０ｂの部分が、特定画素領域Ｇ５０を透かして視認される。
【００６９】
他の画素領域Ｇ５１、Ｇ５２では、バックライト３０から射出された光のうち、透光領域Ｐ５１、Ｐ５２を透かして液晶パネル２０に入射する光をバックライト光源として液晶表示される。他の画素領域Ｇ５１には、各種の数字、文字、記号、目盛り等の画像が、黒色の背景画像とともに表示される。他の画素領域Ｇ５１に表示される画像は、加飾板４４０の遮光領域Ｐ５０を背景として視認される（図１２参照）。
【００７０】
他の画素領域Ｇ５２には、指針画像Ｇ５２ａおよびボス画像Ｇ５２ｂが黒色の背景画像とともに表示される。指針画像Ｇ５２ａは、加飾板４４０の透光領域Ｐ５０ｂにより視認される目盛りを指し示すよう、ボス画像Ｇ５２ｂを中心に回転表示される。要するに、加飾板４４０の透光領域Ｐ５０ａ、Ｐ５０ｂによる目盛りおよび数字と、液晶パネル２０の他の画素領域Ｇ５２とが組み合わさって、スピードメータおよびタコメータとして視認される（図１２参照）。これらのメータは、加飾板４４０の遮光領域Ｐ５０を背景として視認される。
【００７１】
透光領域Ｐ５２のうち遮光領域Ｐ５０と隣接する部分には、遮光領域Ｐ５０に近づくにつれ徐々に透光率が低下するグラデーション領域Ｐ５２ｃが形成されている。また、液晶パネル２０のうちグラデーション領域Ｐ５２ｃと対向する部分の画素領域Ｇ５２ｃでは、遮光領域Ｐ５０に近づくにつれ徐々に表示輝度を低下させるように、制御装置６００は液晶パネル２０を制御する。
【００７２】
表示装置を真正面から見た場合には、グラデーション領域Ｐ５２ｃの一部は、他の画素領域である画素領域Ｇ５２ｃと重畳し、グラデーション領域Ｐ５２ｃの一部は特定画素領域Ｇ５０と重畳する。したがって、グラデーション領域Ｐ５２ｃの一部と画素領域Ｇ５２ｃとが隣接して視認され、かつ、視認者が頭を動かして視点位置を移動させると、グラデーション領域Ｐ５２ｃの見える範囲が変化することとなる。
【００７３】
さて、２層表示モードでは、加飾板４４０の遮光領域Ｐ５０を視認させるべく、光の透過率を高く設定した特定画素領域Ｇ５０を設けることを要する。換言すれば、特定画素領域Ｇ５０については、遮光領域Ｐ５０によりバックライト３０の光が遮断されるので、光源レスとなり液晶表示できない。
【００７４】
これに対し、１層表示モードでは、第２バックライト３００の光が液晶パネル２０の全面に入射するので、表示面２０ａの全体を液晶表示できる。なお、加飾板４４０は第２バックライト３００の背面側に配置されているので透過照明されない。また、バックライト３０は消灯しているので、加飾板４４０はバックライト３０によっても照明されない。よて、図１４に示すように、液晶パネル２０の背面側に加飾板４４０が存在しているにも拘らず、加飾板４４０は視認されない。
【００７５】
図１４および図１５に示す液晶パネル２０の表示例では、第１実施形態に係る図５と同様にして、画素領域Ｇ４１０を背景とした演出画像Ｇ４１１が表示されている。但し、第１実施形態では、表示面２０ａの全体が、実体物を視認できない程度の低い透過率で表示されている。これに対し、本実施形態では、このような透過率に設定することは不要であり、透過率を高く設定しても、先述したように加飾板４４０（実体物）は視認されない。
【００７６】
要するに、第２バックライト３００およびバックライト３０の作動状態を制御することで、実体物が視認される実体物表示モード（２層表示モード）と、実体物が視認されない実体物非表示モード（１層表示モード）とに切り替えることができる。
【００７７】
以上により、本実施形態では、液晶パネル２０と加飾板４４０（加飾部材）との間に配置された第２バックライト３００を備え、加飾板４４０はバックライト３０により透過照明される。そして、第２バックライト３００は、内部に導かれた光を液晶パネル２０へ向けて反射する反射面３１０ｂが形成された導光板３１０を有する。これによれば、加飾板４４０（実体物）をバックライト３０で照明し、導光板３１０を透かして視認させることができる。また、液晶パネル２０を第２バックライト３００で照明し、以下に説明するように液晶パネル２０をフル表示できるようになる。
【００７８】
すなわち、バックライト３０と液晶パネル２０との間には加飾板４４０（実体物）が存在するので、バックライト３０で液晶パネル２０を照明しようとすると、加飾板４４０の影になって十分に照明できない箇所が生じる。これに対し本実施形態では、液晶パネル２０と加飾板４４０の間に第２バックライト３００を備えるので、第２バックライト３００で液晶パネル２０を照明すれば、上記影の箇所が生じない。よって、実体物非表示モードにおいて、液晶パネル２０の表示面２０ａの全面をフル表示できる。
【００７９】
さらに本実施形態では、加飾板４４０に透光領域Ｐ５１、Ｐ５２を形成し、液晶パネル２０のうち透光領域Ｐ５１、Ｐ５２に対向する部分には、画素領域Ｇ５１、Ｇ５２を表示させている。そのため、液晶パネル２０に実体物を組み合わせて奥行き感を付与させることができる。
【００８０】
さらに本実施形態では、第２バックライト３００の消灯時にはバックライト３０を点灯させ、第２バックライト３００の点灯時にはバックライト３０を消灯させるように制御する照明制御手段６１ｂを備える。これによれば、実体物表示モード（２層表示モード）と実体物非表示モード（１層表示モード）とを容易に切り替えることができる。そして、実体物非表示モードにはバックライト３０を消灯させるので、無駄な電力消費を低減できる。
【００８１】
さらに本実施形態では、加飾板４４０は、バックライト３０の光を透過する透光領域Ｐ５０ａ、Ｐ５０ｂ、Ｐ５１、Ｐ５２、およびバックライト３０の光を遮断する遮光領域Ｐ５０を有する。そして、透光領域のうち遮光領域Ｐ５０と隣接する部分には、遮光領域Ｐ５０に近づくにつれ徐々に透光率が変化するグラデーション領域Ｐ５２ｃが形成されている。一方、表示面２０ａのうちグラデーション領域Ｐ５２ｃと対向する部分の画素領域Ｇ５２ｃでは、遮光領域Ｐ５０に近づくにつれ徐々に表示輝度を変化させるように、液晶パネル２０は表示制御される。これによれば、加飾板４４０によるグラデーションと液晶パネル２０によるグラデーションとが、視認者から見て手前側と奥側とで重なって視認される。そして、視認者が頭の位置を動かして視点位置を変えて両グラデーションの境目を見た場合に、手前側と奥側との視差を強調して視認させることができ、立体感を強調できる。
【００８２】
（第４実施形態）
上記第３実施形態では、第２バックライト３００の点灯時には、バックライト３０を消灯させている。これに対し本実施形態では、第２バックライト３００の点灯時にも、バックライト３０を点灯させている。但し、バックライト３０の色を第２バックライト３００とは異ならせている。
【００８３】
より詳細に説明すると、図１６に示す照明制御手段６１ｃは、第２バックライト３００の消灯時にはバックライト３０を点灯させる。よって、第３実施形態と同様にして、バックライト３０により照明される加飾板４４０と、液晶パネル２０による表示画像とが組み合わさって視認される。
【００８４】
一方、照明制御手段６１ｃは、第２バックライト３００の点灯時にはバックライト３０も点灯させる（図１６参照）。第２バックライト３００の第２光源３４０は赤色光を射出し、バックライト３０の光源３４は白色光を射出する。その結果、加飾板４４０の透光領域Ｐ５０ａ、Ｐ５０ｂ、Ｐ５１、Ｐ５２を透過して、光源３４による白色光が液晶パネル２０に入射する。また、導光板３１０の全面からは、第２光源３４０による赤色光が液晶パネル２０に入射する。
【００８５】
したがって、液晶パネル２０のうち、透光領域Ｐ５０ａ、Ｐ５０ｂ、Ｐ５１、Ｐ５２に対向する部分（淡赤部分）は白色光と赤色光の両方により照明され、それ以外の部分（赤部分）は赤色光により照明される。つまり、液晶パネル２０の全体が赤みを帯びた表示になり、特に赤部分は淡赤部分に比べて鮮明な赤色に表示される。
【００８６】
以上により、本実施形態によれば、第２バックライト３００の消灯時および点灯時のいずれにおいてもバックライト３０を点灯させるよう、バックライト３０および第２バックライト３００の作動を制御する照明制御手段６１ｃを備える。これによれば、上記第３実施形態と同様の効果が発揮されることに加え、以下の効果が発揮される。すなわち、表示装置のうちバックライト３０の色で視認させる部分については、バックライト３０の光で色を表現できるようになる。よって、液晶パネル２０のカラーフィルタにより色を表現する場合に比べて、鮮明な色で表現できる。
【００８７】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００８８】
バックライト３０の発光面３３ｂは、液晶パネル２０の表示面２０ａよりも大きく形成されていることが望ましい。これによれば、表示面２０ａの全面を低透過率にした場合に、バックライト３０のうち発光面３３ｂよりも外側の部分Ｐ２（図２参照）が、液晶パネル２０を透かして視認されてしまうおそれを低減できる。よって、表示装置Ｄの見栄えが損なわれるおそれを低減できる。
【００８９】
図１に示す実施形態では、目盛り画像Ｇ１１を特定画素領域Ｇ１０に表示させているが、他の画素領域Ｇ２０に表示させてもよい。
【００９０】
図３に示す実施形態では、加飾リング４２０に光源４２３を取り付けているが、該光源４２３を廃止してもよい。また、図９に示す実施形態において、指針４０に光源を取り付けて、該光源で指針４０を照明させてもよい。特定画素領域Ｇ１０、Ｇ１００、Ｇ３００は、実体物の全体が見えるように設定されてもよいし、実体物の一部が見えるように設定されてもよい。
【００９１】
特定画素領域Ｇ１０、Ｇ１００、Ｇ３００と他の画素領域Ｇ２０、Ｇ４００との境界は、輝度が徐々に変化するグラデーション表示の画像にすることが望ましい。
【００９２】
上記各実施形態に係る実体物を任意に組み合わせて表示装置Ｄに備えさせてもよい。例えば、加飾リング４２０と指針４０の両方を備えさせてもよいし、加飾ボス部材４３０や壁部材４００を任意に組み合わせてもよい。
【００９３】
図８に示す実施形態では、壁部材４００を環状に形成しているが、壁部材４００は環状に限られるものではない。また、各実施形態において実体物を透明の樹脂で形成しているが、着色された樹脂を採用してもよい。また、バックライト３０が有する反射板３２に、文字または図形を表す印刷や凹部を形成し、反射板３２を文字板として機能させてもよい。
【００９４】
上記第１実施形態に係る加飾部材は、リング形状の加飾リング４２０であるが、本発明に係る加飾部材はリング形状に限定されるものではなく、例えば、指針画像Ｇ１４や指針４０の回動方向に延びる円弧形状であってもよい。
【００９５】
上記各実施形態では、他の画素領域Ｇ２０に表示される背景画像を黒色に制御しているが、上記背景画像は黒色に限定されるものではなく、特定画素領域Ｇ１０よりも低透過率であれば、背景画像の色や輝度は任意に設定すればよい。
【００９６】
また、各実施形態では液晶パネル２０はフルカラータイプであるが、モノクロタイプであってもよい。また、行電極および列電極を備えたマトリックス型でなく、所定形状のセグメント電極を備えてそれに対応する画素による画像を表示するセグメント液晶パネルにも適用可能である。
【００９７】
また、上記各実施形態では、液晶パネル２０の表示面２０ａのうち加飾部材が背面側に位置する部分の画素領域である特定画素領域においては、他の画素領域に比べて光の透過率が高くなるように制御している。そして、加飾部材の全体が特定画素領域から目視可能となるように、特定画素領域の範囲や光透過率を制御している。しかしながら、加飾部材が部分的に目視可能となるように、特定画素領域の範囲や光透過率を制御してもよいことは勿論である。
【００９８】
上記各実施形態では、車両のインストルメントパネルに組み付けられた表示装置Ｄに本発明を適用させているが、本発明は該適用に限定されるものではなく、例えば、車両に搭載された電子ミラーに適用させてもよい。なお、電子ミラーとは、フロントウインドシールドやドアトリムに取り付けられて、ミラーに映る像を模した画像を表示させるものであり、車両後方の映像を表示させるものである。また、本発明は車両に搭載された表示装置に限定されるものではなく、例えば、パチンコやスロットル等の遊技機等や、家電製品に搭載された表示装置であってもよい。
【００９９】
上記第３実施形態では、加飾板４４０に透光領域Ｐ５１、Ｐ５２を形成し、実体物表示モード時に、バックライト３０の光が液晶パネル２０へ入射可能に構成している。これに対し、加飾板４４０のうち透光領域Ｐ５１、Ｐ５２に相当する部分に貫通穴を形成し、該貫通穴を通じて、バックライト３０の光が液晶パネル２０へ入射可能に構成してもよい。
【０１００】
上記第３実施形態に係るグラデーション領域Ｐ５２ｃでは、遮光領域Ｐ５０に近づくにつれ徐々に透光率を低下させている。これに対し、遮光領域Ｐ５０に近づくにつれ徐々に透光率を上昇させてもよい。
【符号の説明】
【０１０１】
２０…液晶パネル、２０ａ…表示面、３０…バックライト、４００…環状壁（実体物）、４２０…加飾リング（実体物としての加飾部材）、４３０…加飾ボス部材（実体物としての加飾部材）、６００…制御装置、Ｄ…表示装置、Ｇ１０、Ｇ１００、Ｇ３００…特定画素領域、Ｇ２０、Ｇ４００…他の画素領域。
【図１】
0006476803.tif 000002
【図２】
0006476803.tif 000003
【図３】
0006476803.tif 000004
【図４】
0006476803.tif 000005
【図５】
0006476803.tif 000006
【図６】
0006476803.tif 000007
【図７】
0006476803.tif 000008
【図８】
0006476803.tif 000009
【図９】
0006476803.tif 000010
【図１０】
0006476803.tif 000011
【図１１】
0006476803.tif 000012
【図１２】
0006476803.tif 000013
【図１３】
0006476803.tif 000014
【図１４】
0006476803.tif 000015
【図１５】
0006476803.tif 000016
【図１６】
0006476803.tif 000017